(57)【要約】  本発明は、簡潔、かつ、現在のシステムに影響が少ない各種ネットワークパフォーマンス測定を実行するトランスミッタ情報によりサポートされるサービス品質測定方法を提供するものである。【解決手段】トランスミッタ支援サービス品質（ＱＯＳ）測定の方法と装置が提供される。時間情報はトランスミッタにより生成され、データ伝送と共に伝送される。受信装置は、時間情報と受信データに基づいて、ＱＯＳ測定を決定する。時間情報は、いつ、データが伝送に利用されるか、データ伝送ブロックが単一データ伝送に属すること、および、いつ、トランスミッタバッファが空になったかを示す。ＱＯＳ測定は、パフォーマンス測定、たとえば、レイテンシー測定とスループット測定である。時間情報は、無線インターフェースのタイミングに関連する時間基準を示す。時間基準は、システムフレーム番号（ＳＦＮ）、接続フレーム番号（ＣＦＮ）、フレーム数の相対計数、サブフレームの計数、または、時間伝送間隔（ＴＴＩ）の計数である。集約されたＱＯＳ測定は、ＱＯＳ測定に基づいて生成される。【選択図】図４
2014534726.tif 000002
【特許請求の範囲】
【請求項１】
（ａ）データ伝送を受信する工程と、
（ｂ）時間情報を受信する工程と、
（ｃ）  前記データ伝送と前記受信時間情報に基づいて、サービス品質（ＱＯＳ）測定を決定し、（ａ）から（ｃ）は装置により実行される工程と、
を具備することを特徴とするトランスミッタ情報によりサポートされるサービス品質測定方法。
【請求項２】
前記装置は基地局であることを特徴とする請求項１に記載のトランスミッタ情報によりサポートされるサービス品質測定方法。
【請求項３】
前記装置は無線ネットワークコントローラー（ＲＮＣ）であることを特徴とする請求項１に記載のトランスミッタ情報によりサポートされるサービス品質測定方法。
【請求項４】
前記時間情報は時間基準を示し、前記時間基準が、いつ、前記データが通信プロトコルに利用でき、前記データを伝送するトランスミッタの伝送を行うかを示すことを特徴とする請求項１に記載のトランスミッタ情報によりサポートされるサービス品質測定方法。
【請求項５】
前記ＱＯＳ測定はレイテンシー測定で、前記レイテンシーは、第一時間基準と第二時間基準間の前記差異で、前記第一時間基準は、いつ前記データ伝送が前記装置により受信されるかを示す前記時間情報と前記第二時間基準に基づくことを特徴とする請求項１に記載のトランスミッタ情報によりサポートされるサービス品質測定方法。
【請求項６】
前記データ伝送は、パケットデータ収束プロトコル（ＰＤＣＰ）、無線リンク制御（ＲＬＣ）、または、媒体アクセス制御（ＭＡＣ）サービスデータユニット（ＳＤＵ）を含み、前記ＳＤＵが既に再構築されているとき、前記データ伝送が受信されることを特徴とする請求項５に記載のトランスミッタ情報によりサポートされるサービス品質測定方法。
【請求項７】
前記ＱＯＳ測定はスループット測定で、前記スループット測定は、時間基準とデータ量に基づき、前記時間基準は前記時間情報に基づくことを特徴とする請求項１に記載のトランスミッタ情報によりサポートされるサービス品質測定方法。
【請求項８】
前記時間情報は、無線インターフェース接続の前記タイミングに関連する時間基準を示し、前記時間基準は、システムフレーム番号（ＳＦＮ）、接続フレーム番号（ＣＦＮ）、フレーム数の相対計数、サブフレームの計数または時間伝送間隔（ＴＴＩ）の計数であることを特徴とする請求項１に記載のトランスミッタ情報によりサポートされるサービス品質測定方法。
【請求項９】
（ｄ）前記ＱＯＳ測定の少なくとも一部に基づいて、集約されたＱＯＳ測定を決定し、前記集約されたＱＯＳ測定は、ＱＯＳ測定の平均、ＱＯＳ測定のヒストグラム、または、ＱＯＳ測定の最悪状況選択である工程を含むことを特徴とする請求項１に記載のトランスミッタ情報によりサポートされるサービス品質測定方法。
【請求項１０】
（ａ）データを通信プロトコルに利用できるようにして伝送する工程と、
（ｂ）時間情報を決定し、前記データが伝送に利用できる時、前記時間情報が前記時間を示す工程と、
（ｃ）前記時間情報と前記データを伝送し、前記（ａ）から前記（ｃ）が、ユーザー装置（ＵＥ）により実行される工程と、
を具備することを特徴とするトランスミッタ情報によりサポートされるサービス品質測定方法。
【請求項１１】
前記時間情報は、無線インターフェース接続の前記タイミングに関連する時間基準を示し、前記時間基準は、システムフレーム番号（ＳＦＮ）、接続フレーム番号（ＣＦＮ）、フレーム数の相対計数、サブフレームの計数または時間伝送間隔（ＴＴＩ）の計数であることを特徴とする請求項１０に記載のトランスミッタ情報によりサポートされるサービス品質測定方法。
【請求項１２】
（ｄ）伝送中断を観察し、前記データの一部は、まだ、伝送が成功または認知が成功していない工程と、
（ｅ）前記伝送をリカバーし、前記リカバリーが、二層プロトコルのリセットまたは再構築を含む工程と、
（ｆ）前記（ｄ）で、伝送が成功または認知が成功していない前記時間情報と前記データまたは前記データの前記一部を再伝送する工程と、
を含むことを特徴とする請求項１０に記載のトランスミッタ情報によりサポートされるサービス品質測定方法。
【請求項１３】
（ｄ）無線接続中断を観察し、前記データの一部は、まだ、伝送が成功または認知が成功していない工程と、
（ｅ）新しい無線接続を構築する工程と、
（ｆ）前記（ｄ）で、伝送が成功または認知が成功していない前記時間情報と前記データを再伝送する工程と、
を含むことを特徴とする請求項１０に記載のトランスミッタ情報によりサポートされるサービス品質測定方法。
【請求項１４】
（ｄ）無線接続中断を観察し、前記データの一部は、伝送が成功または認知が成功していない工程と、
（ｅ）新しい無線接続を構築する工程と、
（ｆ）前記（ｄ）で、伝送が成功または認知が成功していない前記データを再伝送する工程と、
（ｇ）前記時間情報を再伝送しない工程と、
を含むことを特徴とする請求項１０に記載のトランスミッタ情報によりサポートされるサービス品質測定方法。
【請求項１５】
前記時間情報は、パケットデータ収束プロトコル（ＰＤＣＰ）状態報告中に含まれることを特徴とする請求項１０に記載のトランスミッタ情報によりサポートされるサービス品質測定方法。
【請求項１６】
前記時間情報が二層プロトコルにより伝送され、前記二層プロトコルが前記データに含まれることを特徴とする請求項１０に記載のトランスミッタ情報によりサポートされるサービス品質測定方法。
【請求項１７】
前記時間情報は、媒体アクセス制御（ＭＡＣ）制御素子中で伝送されることを特徴とする請求項１０に記載のトランスミッタ情報によりサポートされるサービス品質測定方法。
【請求項１８】
前記データは、パケットデータ収束プロトコル（ＰＤＣＰ）、無線リンク制御（ＲＬＣ）または媒体アクセス制御（ＭＡＣ）サービスデータユニット（ＳＤＵ）で、少なくともひとつのインデックス値は前記時間情報が備わり、前記インデックス値は、前記時間情報が適用できるＳＤＵのことを指すことを特徴とする請求項１０に記載のトランスミッタ情報によりサポートされるサービス品質測定方法。
【請求項１９】
前記インデックスは、ＰＤＣＰまたはＲＬＣシーケンス番号であることを特徴とする請求項１８に記載のトランスミッタ情報によりサポートされるサービス品質測定方法。
【請求項２０】
空間が、データと第二命令層オーバーヘッドに割り当てられた後、前記トランスポートブロック中に十分なスペースがあるとき、前記時間情報が伝送されることを特徴とする請求項１０に記載のトランスミッタ情報によりサポートされるサービス品質測定方法。
【発明の詳細な説明】
【技術分野】
【０００１】
この出願は、２０１１年１０月２５日に出願された“Transmitter assisted ＱＯＳ measurement in the receiver，”と題された米国特許仮出願番号61/551,029号から、合衆国法典第３５編第１１９条の下、優先権を主張するものであり、その内容は引用によって本願に援用される。
【０００２】
本発明は、無線通信技術に関するものであって、特に、サービス測定のトランスミッタ支援品質を実行する方法と装置に関するものである。
【背景技術】
【０００３】
最近の通信は、有線と無線ネットワークの大きな展開がもたらしている。個人需要により支えられて、コンピュータネットワーク、テレビジョンネットワーク、および、電話ネットワークは前例のない技術拡大をもたらし、情報伝達にさらなるフレキシブル性と即時性を提供している。
【０００４】
現在と将来のネットワーク技術は、情報伝達の容易さと便利さを促進し続け、テレコミュニケーション産業においてはサービスプロバイダは、改善を既存ネットワークに進めている。たとえば、現在、進化型のユニバーサルモバイルテレコミュニケーションシステム（ＵＭＴＳ）地上無線アクセスネットワーク（Ｅ−ＵＴＲＡＮ）が発展している。ロングタームエボリューション（ＬＴＥ）としても知られるＥ−ＵＴＲＡＮは、効率を改善、コストを低下、サービス改善、新しいスペクトル機会を活用することにより、従来の技術をアップデートすることを目的とし、別のオープンスタンダードとのよい整合性を提供している。データ伝送に最適化された現代の無線技術の長所は、無線状態への伝送の高速適応で、ユーザーが移動する時、通常は、広範囲に渡って変化する。高速適応の基本部分は、再伝送の急速プロトコルを有する、または、追加伝送により符号化冗長性を有している。これは、大量のデータを伝送するために必要とされる事前に知られていない伝送量のため、レイテンシーが非常に重大であることも意味する。さらに、有線通信と低動的な無線通信とは異なり、ユーザーが移動する時、データレートは、広範囲に渡って変化することが予期され、さらに、大量のデータの実際の伝送に必要な時間に不確実性をもたらし、データブロックが本当に伝送に必要な時間中、データは、まだ、トランスミッタ中でバッファされると共に、完全には、レシーバでは受信されていない。
【０００５】
別のプレコーディングテレコミュニケーションスタンダードとのシェアを続行するＥ−ＵＴＲＡＮの一長所は、移動性を維持する間、ユーザーが、このようなスタンダードを利用するネットワークにアクセスすることができるということである。よって、たとえば、ネットワークとの通信を維持する間、このようなスタンダードに従って通信するように整えられる携帯端末を有するユーザーは長い距離を移動する。ユーザーモビリティを有効にする間、ユーザーにアクセスを提供することによって、ユーザーが移動性を維持する間、ユーザーはサービスを利用できる。しかし、ユーザーのモビリティは、異なるセルやサービスエリア内で、異なるサービング基地局間で伝えられるユーザーの携帯端末を有効にする。これにより、ネットワークは、サービスの連続性をモバイルユーザーに提供することを求められる。無線ネットワーク配置と操作を検証およびテストするため、従来、運転テストが導入されている。運転テストは、通常、一領域内で駆動または実行され、ネットワーク操作検証のデータを収集する特定測定ツールが使用される。よって、マニュアル試験法と無線ネットワーク操作の検証が一般的になっている。
【０００６】
現存の、特に、最新のネットワーク（たとえば、ＬＴＥと未来のネットワーク）にとって、運転テストや歩行テストの必要性を減少させて、ネットワークのマニュアル試験法を減少させ、これにより、操作コストを減少することが望まれている。したがって、現在、運転テスト（ＭＤＴ）の最小化のサポートに関連する研究が注目され、ＭＤＴの目的は、商用終端を利用して、関連測定結果を報告して、特殊試験装置のマニュアル試験法とオペレータ人材の関与をなくすことである。
【０００７】
本発明は、ＭＤＴのコンテキストに限定されないが、ＭＤＴが、現在の技術に最も近いものと思われる。ＭＤＴ特徴はＵＥを有効にして、ネットワークパフォーマンスの測定、たとえば、レイテンシー測定とスループット測定を実行する。レイテンシーは、要因に対する応答までの遅延である。必要なソフトウェアの実行時間と同様に、通信のコンテキスト中のレイテンシー測定は、通信媒体と通信ハードウェアにより伝播することにより費やされる時間である。レイテンシー測定は、所望の送り先にデータが達するのに必要な時間を指定する。通信のコンテキスト中のスループット測定は、特定期間中、成功した通信のデータ量の測定である。レイテンシーとスループットの両測定は、データの伝送が発生する前、測定されるデータがいつ伝送バッファ に保存されるか、つまり、データがいつ、データ伝送を処理するプロトコルスタックの伝送に利用できるようになるかを推測することが要求される。現在の３ＧＰＰプロトコルスタックに基づいた現在のＭＤＴ特徴または他の測定特徴は、データの伝送発生前に、データがいつ、伝送バッファに保存されるかを正確に指示できない。
【０００８】
本発明は、簡潔、かつ、現在のシステムに影響が少ない各種ネットワークパフォーマンス測定を実行する新しいシステム要求に応えるソリューションを提供するものである。
【発明の概要】
【発明が解決しようとする課題】
【０００９】
本発明は、トランスミッタ情報によりサポートされるサービス品質測定方法を提供することを目的とする。
【課題を解決するための手段】
【００１０】
本発明の第一実施態様において、時間情報はデータ伝送と共に通信される。それに応じて、データ伝送と時間情報を受信する装置は、サービス測定の品質を決定する。一例において、装置は基地局である。別の例において、装置は無線ネットワークコントローラーである。時間情報は、いつ、データがトランスミッタ通信プロトコルに利用できるかを示す。一例において、ＱＯＳ測定はレイテンシー測定である。別の例において、ＱＯＳ測定はスループット測定である。データ伝送は、データ収束プロトコル（ＰＤＣＰ）、無線リンク制御（ＲＬＣ）、または、媒体アクセス制御（ＭＡＣ）サービスデータユニット（ＳＤＵ）を含む。情報は、無線インターフェース接続のタイミングに関連する時間基準を示し、時間基準は、システムフレーム番号（ＳＦＮ）、接続フレーム番号（ＣＦＮ）、フレーム数の相対計数、サブフレームの計数、または、時間伝送間隔（ＴＴＩ）の計数である。その後、集約されたＱＯＳ測定は、ＱＯＳ測定の少なくとも一部に基づいて決定される。集約されたＱＯＳ測定は、ＱＯＳ測定の平均、ＱＯＳ測定のヒストグラム、または、ＱＯＳ測定の最悪状況選択である。
【００１１】
第二態様において、通信プロトコルに利用できるデータとデータがいつ利用できるかを示す時間情報が決定される。時間情報とデータが受信装置に伝送される。時間情報は、時間基準が、無線インターフェース接続のタイミングに関連することを示す。時間基準は、システムフレーム番号（ＳＦＮ）、接続フレーム番号（ＣＦＮ）、フレーム数の相対計数、サブフレームの計数、または、時間伝送間隔（ＴＴＩ）の計数である。イベントにおいて、無線接続の中断が観察され、無線接続がリカバーされ、時間情報とデータが伝送される。イベントにおいて、無線接続の中断が観察され、新しい無線接続が構築され、時間情報とデータが再伝送される。別の例において、新しい無線接続が構築されるとき、その時間情報の再伝送はされない。本実施例において、時間情報は、パケットデータ収束プロトコル（ＰＤＣＰ）状態報告に含まれる。別の例において、時間情報は、媒体アクセス制御（ＭＡＣ）素子に含まれる。
【００１２】
第三態様において、通信プロトコルに利用できるデータとデータがいつ利用できるかを示す時間情報が決定される。時間情報とデータは受信装置に伝送される。時間基準を示す時間情報は、無線インターフェース接続のタイミングに関連する。既に、空間がデータと第二命令層のーバーヘッドに割り当てられた後、トランスポートブロックにおいて十分なスペースが利用できる時、時間情報が伝送される。
【００１３】
第四態様において、時間情報がＭＡＣプロトコルにより通信する。ＭＡＣプロトコルは、複数のＭＡＣ制御素子を含む。時間情報は、ＭＡＣ制御素子のひとつ中に含まれる。ＭＡＣプロトコル情報は、その後、データにより受信装置に伝送される。時間情報を得る受信装置はＭＡＣ制御素子中に含まれる。
【００１４】
他の実施の形態および利点について、以下に詳細にする。この概要は、本発明を定めるものではない。本発明は請求項によって定められる。
【発明の効果】
【００１５】
本発明にかかるトランスミッタ提供情報によりサポートされるレシーバ側測定実行方法によれば、簡潔、かつ、現在のシステムに影響が少ない各種ネットワークパフォーマンス測定を実行する新しいシステム要求に応えるソリューションを提供できるものである。
【図面の簡単な説明】
【００１６】
添付の図面は、本発明の実施の形態を説明しており、同様の番号は同様の構成要素を示している。
【図１】３ＧＰＰシステム機構を示す説明図である。
【図２】ネットワークにおける測定モジュールを含むＵＥを示す説明図である。
【図３】３ＧＰＰ  ＴＳ  ３６．３１４によるスループット測定を示す説明図である。
【図４】改善されたスループット測定を示す説明図である。
【図５】レイテンシー測定を示す説明図である。
【図６】改善されたレイテンシー測定を示す説明図である。
【図７】トランスミッタ時間情報がない、ＲＡＮによるレイテンシー開始時間の最も早い決定を示す説明図である。
【図８】媒体アクセス制御（ＭＡＣ）ペイロードの制御素子中の時間情報の通信を示す図である。
【図９】複数の時間基準を含む時間情報を示す説明図である。
【図１０】トランスミッタ支援測定のフローチャートである。
【図１１】測定アグリゲーションによるトランスミッタ支援測定のフローチャートである。
【図１２】接続中断のイベントにおけるトランスミッタ支援測定のフローチャートである。
【発明を実施するための形態】
【００１７】
本発明の実施例について図面を参照して説明する。
【００１８】
図１は、本発明を適用した一実施例の３ＧＰＰシステム機構を示す説明図である。３ＧＰＰシステム１００は、ＵＴＲＡＮ無線アクセスネットワーク１０１、モバイル電話交換局またはビジタロケーションレジスタ（ＭＳＣ／ＶＬＲ）１０２、サービングＧＰＲＳ（general packet radio service）サポートノード（ＳＧＳＮ）１０３、管理インターフェース１０４、管理インターフェース１０５、ユーザー装置ＵＥ１１０、Ｅ−ＵＴＲＡＮ  無線アクセスネットワーク１１１、サービングゲートウェイ（Ｓ−ＧＷ）１１２、パケットデータネットワーク（ＰＤＮ）ゲートウェイ（ＰＤＮ−ＧＷ）１１３、ポリシー制御とルーティング機能（ＰＣＲＦ）１１４、オペレータのＩＰサービス（たとえば、インターネット）１１７、ホーム加入者サーバ（ＨＳＳ）１２１、カスタマーケアサービス１３１、および、運用・管理・保守（ＯＡＭ）システム１３２を有している。図１の例において、Ｅ−ＵＴＲＡＮ１１１は、ＯＦＤＭＡ（直交周波数分割多元接続）技術により、セルラーサービスの新しい空気界面をＵＥ１１０に提供する。Ｅ−ＵＴＲＡＮ１１１は、Ｓ−ＧＷ１１２とＰＤＮ−ＧＷ１１３により、ＩＰサービスもＵＥ１１０に提供する。一方、ＵＴＲＡＮ１０１は、Ｗ−ＣＤＭＡ（Wideband  符号分割多重アクセス）技術により、ＵＥとネットワーク間の接続性を提供するＵＭＴＳ無線アクセスネットワークである。３ＧＰＰ  ＬＴＥシステムにおいて、ＨＳＳ１２１、Ｓ−ＧＷ１１２とＰＤＮ−ＧＷ１１３、ｅＳＭＬＣ１１５、ＳＬＰ１１６と他のノード（図示しない）は、進化型パケットコアネットワークを形成している。一方、進化型パケットコアネットワークとＥ−ＵＴＲＡＮ１１１は、共に、公衆モバイルネットワーク（ＰＬＭＮ）を形成している。３ＧＰＰ  ＵＴＲＡシステムにおいて、ＨＳＳ１２１、ＭＳＣ１０２、ＳＧＳＮ１０３と別のノード（図示しない）はコアネットワークを形成している。ＵＴＲＡＮ１０１とコアネットワークは、共に、公衆モバイルネットワーク（ＰＬＭＮ）を形成している。オープンモバイルアライアンス（ＯＭＡ）の基準によると、セキュアユーザープレーンロケーション（ＳＵＰＬ）により、ＳＬＰサーバは、アクセス技術により接続されるＵＥに位置サービスを提供する。Ｅ−ＵＴＲＡＮとＵＴＲＡＮ無線アクセスネットワークが上述されているが、当業者なら、他の無線アクセスネットワークは本発明により改善されることが理解できる。少しのこれらの無線アクセスネットワークは、高速ダウンリンクパケット接続（ＨＳＤＰＡ）ネットワーク、高速アップリンクパケットアクセス（ＨＳＵＰＡ）ネットワーク、符号分割多重アクセス（ＣＤＭＡ）ネットワーク、自己組織化ネットワーク（ＳＯＮ）、または、直交周波数分割多元接続（ＯＦＤＭＡ）無線アクセスネットワークである。
【００１９】
３ＧＰＰは、新しい特徴を導入して、ＬＴＥとＵＴＲＡシステムオペレータが、さらに、費用効果が高い方法で、ネットワーク計画を最適化するのを手助けする。運転テスト（ＭＤＴ）の最小化はひとつの特徴で、ＵＥは測定をまとめて、測定情報を、それらのサービングeNBsとサービングRNCsに報告する。ＭＤＴの特徴は、ＵＥが、運用・管理・保守（ＯＡＭ）動作、たとえば、近傍検出、測定、ＯＡＭ目的のロギングと記録を実行できるようにしており、無線資源管理（ＲＲＭ）と最適化目的を含んでいる。二種のＭＤＴがある。即時ＭＤＴにおいては、測定は、Ｅ−ＵＴＲＡの接続状態およびＵＴＲＡのセルＤＣＨ状態で、ＵＥにより実行される。ＲＲＭ工程、たとえば、測定報告により、利用可能なとき、収集された情報は、ネットワークで測定される、または、ＵＥで測定され、即時に、ネットワークに報告される。ログされたＭＤＴにおいては、ＵＥは、ＩＤＬＥ状態で、測定およびログを実行すると共に、ＵＴＲＡのcell_PCHとURA_PCH状態にも用いられる。ＵＥは、時間の後のほうで、収集した情報をネットワークに報告する。
【００２０】
一般に、ＵＥ収集測定情報（イベント情報とも称される）は、ＭＤＴ測定情報、無線測定、ブロードキャスト通信失敗情報のログ、マルチキャスト通信失敗方法のログ、ランダムアクセスチャネル（ＲＡＣＨ）パフォーマンスのログ、および、無線リンク障害、ハンドオーバ失敗、および、無線リソース制御（ＲＲＣ）接続構築失敗を含む通信問題のログを含んでいる。たとえば、即時ＭＤＴのＲＡＮログ、ログＭＤＴのログ、および、無線リンク障害などの問題イベントのログはすべて、位置と速度が推定できる位置と速度情報またはデータを含んでいる。よって、ＭＤＴは、効果的、かつ、自動管理スキームを必要とし、自動管理スキームは、どのように、イベント情報を収集するＵＥが、収集されたイベント情報と各種無線アクセスネットワークを共有するのを管理する。現在の技術において、このような管理スキームは存在しない。
【００２１】
図２は、モバイルネットワーク２００における測定情報（すなわち、イベント情報）を収集およびアクセスする方法と装置を示す説明図である。モバイルネットワーク２００は、ＵＥ２１０、ＥＵＴＲＡＮセル２１２、および、ＵＴＲＡＮセル２１５を有している。Ｅ−ＵＴＲＡＮセル２１２はｅＮｏｄｅＢ２１１を有する。ＵＴＲＡＮセル２１５は、ＮｏｄｅＢ２１３と無線ネットワークコントローラー（ＲＮＣ）ノード２１６を有する。３ＧＰＰ  ＬＴＥシステムを例とすると、ＵＥ２１０は、Ｅ−ＵＴＲＡＮセル２１２により、セルとＩＰサービスに加入し、サービングｅＮｏｄｅＢ２１１により供される。
【００２２】
ＵＥ２１０は、メモリ２３９、プロセッサ２４０、パケットデータ収束プロトコル（ＰＤＣＰ）２４１、無線リンク制御（ＲＬＣ）２４２、媒体アクセス制御（ＭＡＣ）２４３、ユーザープレーン２層２４４、測定モジュール２４５、無線周波数（ＲＦ）モジュール２４６、および、アンテナ２４７を有している。別の例において、ＵＥ２１０は、さらに、測定情報により位置情報の報告を許可する位置取得システムを有している。ｅＮｏｄｅＢ２１１は、メモリ２３９、プロセッサ２４０、パケットデータ収束プロトコル（ＰＤＣＰ）２４１、無線リンク制御（ＲＬＣ）２４２、ＭＡＣ２４３、ユーザープレーン２層２４４、測定モジュール２４５、無線周波数（ＲＦ）モジュール２４６、および、アンテナ２４７を有している。別の例において、ｅＮｏｄｅＢ２１１は、さらに、測定情報により位置情報の報告を許可する位置取得システムを有している。ＲＮＣ２１６は、メモリ２５６、プロセッサ２５５、ＰＤＣＰ２５４、ＲＬＣ２５３、ＭＡＣ２５２、ユーザープレーン２層２５１、および、測定モジュール２５０を有している。異なるモジュールは、ソフトウェア、ファームウェア、ハードウェア、または、それらの組み合わせにより実行される機能モジュールである。プロセッサにより実行される時、機能モジュールは、ＵＥ２１０が測定情報収集を実行し、測定情報（たとえば、時間情報）と位置情報をｅＮｏｄｅＢ２１１に報告できるようにする。同様に、３ＧＰＰ  ＵＴＲＡシステムにおいて、ＵＴＲＡＮセル２１５はユーザーにサービスを提供し、ＵＥは測定情報収集を実行して、測定情報（たとえば、時間情報）と位置情報をＲＮＣ２１６に報告する。
【００２３】
図３は、３ＧＰＰ  ＴＳ  ３６．３１４ごとのスループット測定を示す説明図である。スループット測定は、連続データブロックが受信される期間により受信されるデータの連続ブロックのデータ量を分割することにより計算される。
【００２４】
データの３個の連続ブロックが図３に示されている。データの各連続ブロックは、データの固有の連続ブロックが受信される固有の時間を有する。図３は、データがバッファに進入するときから、全データがバッファから空になる時の時間も示す。図３に示されるように、データの３連続ブロックは、単一データ伝送に属する。しかし、レシーバ端で、データの３連続ブロックが単一データ伝送に属するか否かは不明である。それ故に、レシーバ端は、データの３連続ブロックを３個の分離データ伝送として解釈する。３個の連続データブロックのこの誤解は、３個の分離スループットの測定をもたらす。さらに、各スループット測定は、不正確な期間に基づくものである。図３に示されるように、データがレシーバにより受信される期間は、データが変換バッファに保存される時から、変換バッファが空になる時の期間より短い。それ故に、レシーバにより測定されるスループットは不正確で、且つ、実際より高いスループットを示す。図３に示されるスループットの測定不正確性を正しくするため、伝送前の初期バッファおよび単一データ伝送中の不連続性を考慮するソリューションを見つけることが必要である。
【００２５】
図４は、改善されたスループット測定方法論を示す説明図である。上述のように、スループット測定は、連続データブロックが受信される期間により受信されるデータの連続ブロックのデータ量を分割することにより計算される。
【００２６】
データの３個の連続ブロックが図４に示されている。データの各連続ブロックは、データの固有の連続ブロックが受信される固有の時間を有する。図４は、データが利用できるようになり、バッファを開始してから、全データがバッファから空になるまでの時間も示している。図４に示されるように、データの３連続ブロックは、実際は、単一データ伝送に属する。しかし、レシーバ端で、データの３連続ブロックが単一データ伝送に属するかを知らされていない。それ故に、図３に関連する上述の討論のように、レシーバ端は、データの３連続ブロックを３個の分離データ伝送として解釈し、伝送バッファ時間を考慮することを怠る。図４に示す改善されたスループット測定方法論は、伝送データに加え、トランスミッタ時間情報（“時間情報”とも称する）と通信することにより、この欠点を改善している。
【００２７】
一例において、伝送データが最初に、通信プロトコルに利用できるようになる時、すなわち、通信プロトコルバッファに保存して伝送する時、トランスミッタ時間情報がレシーバに示される。別の例において、伝送データがトランスミッタバッファから空になる時、トランスミッタ時間情報がレシーバに示される。第三例において、トランスミッタ時間情報は、データの３連続ブロックが同じデータ伝送に属するレシーバを示している。
【００２８】
図２を参照すると、レシーバは、基地局２１１、無線ネットワークコントローラー（ＲＮＣ）２１６、または、ユーザー装置（ＵＥ）２１０である。同様に、トランスミッタは、基地局２１１、無線ネットワークコントローラー（ＲＮＣ）２１６、または、ユーザー装置（ＵＥ）２１０になる。
【００２９】
一例において、時間情報は、ひとつ以上のデータ伝送に関連する時間情報を示すひとつ以上の時間基準を含む。
【００３０】
トランスミッタから、時間情報とデータ伝送を受信後、レシーバは、スループット測定を計算する適した時間を決定する。伝送が始まる前、時間情報は、データがトランスミッタバッファに入力される時間を示す。それ故に、レシーバは、適切に、トランスミッタバッファ時間を考慮する。時間情報は、３個の連続データブロックが同じデータ伝送に属することも示す。それ故に、レシーバは、不適切に、各連続データブロックを分離伝送として解釈しない。全体の結果は、トランスミッタにより提供される時間情報のため、レシーバは、正確に、スループット測定を計算することができる。このほか、時間情報は、レシーバに、伝送開始前、それぞれ、初期バッファ時間を考慮する可能性を提供し、この種の可能性は興味深く、たとえば、すでに現存の測定を補完する。
図５は、アップリンクレイテンシー測定の第一方法を示す説明図である。レイテンシー測定は、トランスミッタによりデータ伝送が開始される時から、完全なデータ伝送がレシーバにより受信されるまでの期間である。
【００３１】
データの３個の連続ブロックが図５に示される。データの各連続ブロックは、データの固有の連続ブロックが受信される固有の時間を有する。図５は、データがバッファに進入してから、全データがバッファから空になる時間も示している。図５に示されるように、データの３連続ブロックは、実際は、単一データ伝送に属する。しかし、レシーバ端で、データの３連続ブロックが単一データ伝送に属するかは不明である。それ故に、レシーバ端は、データの３連続ブロックを、３個の分離データ伝送として解釈する。３個の連続データブロックのこの誤解は、３個の分離レイテンシー測定を招く。さらに、各レイテンシー測定は、不正確な期間に基づく。図５に示されるように、データがレシーバにより受信される期間は、データが変換バッファに保存される時から、変換バッファが空になる時までの期間より短い。それ故に、レシーバにより測定されるレイテンシーは不正確で、且つ、実際に実現されるより短いレイテンシー測定を示す。図５に示されるレイテンシー測定不正確を正すために、伝送前の初期バッファリングと単一データ伝送中の不連続性を考慮するソリューションを考慮する必要がある。
【００３２】
図６は、改善されたレイテンシー測定方法論を示す説明図である。上述のように、レイテンシー測定は、トランスミッタによりデータ伝送されるときから、完全なデータ伝送がレシーバにより受信されるときまでの期間である。
【００３３】
データの３個の連続ブロックが図６に示されている。データの各連続ブロックは、データの固有の連続ブロックが受信される固有の時間を有する。図６は、データがバッファに進入するときから、全データがバッファから空になるまでの時間も示す。図６に示されるように、応用的見地から、データの３連続ブロックは、実際は、単一データ伝送、単一データユニットに属する。しかし、レシーバ端で、データの３連続ブロックが単一データ伝送に属するか否かは不明である。それ故に、図５で討論されるように、レシーバ端は、データの３連続ブロックを、３個の分離データ伝送として解釈し、伝送バッファ時間を考慮することができない。図６の改善されたレイテンシー測定方法論は、伝送データに加、トランスミッタ時間情報（“時間情報”とも称される）と通信することにより、この欠点を改善する。
【００３４】
一例において、伝送データが通信プロトコルに利用できるようになる時、すなわち、初めて、通信プロトコルバッファに保存されて伝送されるとき、トランスミッタ時間情報がレシーバに示される。別の例において、伝送データがトランスミッタバッファから空になる時、トランスミッタ時間情報がレシーバに示される。第三例において、トランスミッタ時間情報は、レシーバに、データの３連続ブロックが同じデータ伝送に属することを示す。
【００３５】
図２を参照すると、レシーバは、基地局２１１、無線ネットワークコントローラー（ＲＮＣ）２１６、または、ユーザー装置（ＵＥ）２１０である。同様に、トランスミッタは、基地局２１１、無線ネットワークコントローラー（ＲＮＣ）２１６、または、ユーザー装置（ＵＥ）２１０になる。
【００３６】
一例において、時間情報は、ひとつ以上のデータ伝送に関する時間情報、すなわち、ひとつ以上のデータユニットを示すひとつ以上の時間基準を含んでいる。
【００３７】
トランスミッタから、時間情報とデータ伝送を受信後、レシーバは、レイテンシー測定を計算するのに適した時間を決定する。時間情報は、伝送開始前に、データがいつ、通信プロトコルバッファに入力されるかの時間を示す。それ故に、レシーバは、適切に、トランスミッタバッファ時間を考慮する。時間情報は、同じデータ伝送に属する３個の連続データブロックも示す。それ故に、レシーバは、不適切に、各連続データブロックを分離伝送と解釈しない。全体の結果は、トランスミッタにより提供される時間情報のため、レシーバは、正確に、レイテンシー測定を計算することができる。
【００３８】
図７は、トランスミッタ時間情報がない、ＲＡＮによるレイテンシー開始時間の最も早い決定を示す図である。トランスミッタにより提供される時間情報の不足において、スマートＲＡＮがレイテンシー測定の開始を推定できる最も早い時間は、ステップ４０２で、ＲＡＮが、ＵＥはアクセスを要求するかを決定する時である。このステップで、ＲＡＮは、なぜ、ＵＥがアクセスを要求するのか、または、ＵＥが、あらゆる伝送データを有するかは不明である。しかし、スマートＲＡＮは、すべてのＵＥの行いを記録すると共に、後に、アップリンクレイテンシーまたはアップリンクスループットが測定されるべきデータがあるときに、記録を検視することができる。しかし、このような操作は、もちろん、システム中の各アクセスを記録する欠点を伴い、記録システム中、各アクセスは、重大な負担である。トランスミッタにより提供される時間情報の不足下では、ステップ４０４のバッファ状態報告（ＢＳＲ）の受信に基づいて、スタンダードＲＡＮがレイテンシー測定の開始を推定できる最も早い時間は、ＲＡＮが、ＵＥが、伝送のために測定されるユーザーデータを有するかを決定する時である。図７に示されるように、上述のステップは、ＲＡＮがこの決定を下す前に発生しなければならない。
【００３９】
ステップ４００において、伝送データが通信プロトコルに利用できるようになり、通信プロトコルバッファ中に保存される。ＵＥは、ＲＡＮからの複数の試みと応答を含むアクセス工程を実行する（ステップ４０１）。このステップは、ＵＥからＲＡＮへの複数の伝送を含む。たとえば、第一伝送が十分に高い電力レベルを有さない場合、伝送はＲＡＮにより検出されない。伝送がＲＡＮにより検出されない時、ＵＥは、高電力レベルで、別の伝送を送らなければならない。ステップ４０２において、ＵＥアクセス要求はＲＡＮにより検出され、後に、この時間がＱＯＳ測定に用いられなければならない状況下で“smart”ＲＡＮは即時にこの時間点を記録する。スマートＲＡＮも、別の推定を実行して、この時間情報が有効かそうでないかを上手に推測する必要があり、たとえば、ＢＳＲのアクセスと受信間の時間を記録して、バッファされたデータが、アクセスされたかどうかの実際の状況であるかを推定する必要がある。ステップ４０３で、接続セットアップ工程が開始される。ステップ４０４において、バッファ状態報告（ＢＳＲ）がＵＥからＲＡＮに伝送される。ステップ４０４は、スタンダードＲＡＮが、まず、確実に、ＵＥが、ＱＯＳが測定されるデータの伝送のアクセスに必要かを判断することが出来るときである。それ故に、ステップ４０４は、スタンダードＲＡＮがレイテンシー測定の開始を推定することが出来る最も早い時間である。ステップ４０５において、ＵＥアクセスが承諾される。それに応じて、ＵＥは、データの第一セグメントをＲＡＮに伝送するのを開始する（ステップ４０６）。ステップ４０７において、ＵＥは、再度、アクセスが認められる。それに応じて、ＵＥは、データの第二セグメントをＲＡＮに伝送するのを開始する（ステップ４０８）。ステップ４０９において、完全な組の伝送データがＲＡＮにより受信される。
【００４０】
上述のように、ＲＡＮにより決定することができる最も早いレイテンシー開始時間は正確ではない。スマートＲＡＮがレイテンシー開始時間を推定することができる前に、複数のステップが発生する。スタンダードＲＡＮが、確実に、レイテンシー開始時間を決定することができる前、さらに多くのステップが発生する。それ故に、ＲＡＮ推定レイテンシー開始時間に基づくレイテンシー測定は不正確である。図４と図６で討論されるように、レイテンシー測定は、トランスミッタ時間情報により大幅に改善される。トランスミッタ時間情報は、いつ、伝送データが、最初に、トランスミッタの伝送バッファ中に保存されるかを示すことができる。トランスミッタ時間情報の受信時、レシーバ は、無線システムを操作するＲＡＮのクラスと無関係に、正確に、レイテンシー測定開始時間を決定することができる。 
【００４１】
図８は、ＭＡＣペイロードの制御素子内の時間情報の通信を示す説明図である。ＭＡＣヘッダーとＭＡＣペイロードが図８中に示されている。ＭＡＣヘッダーは、複数のサブヘッダーを含む。ＭＡＣペイロードは、複数のＭＡＣ制御素子と複数のＭＡＣ  ＳＤＵを有している。パディング素子もＭＡＣペイロード中に含まれている。
【００４２】
一例において、ひとつ以上のＭＡＣ制御素子は時間情報を含む。その後、ＭＡＣペイロード内のＭＡＣ制御素子が、データ伝送により受信装置に伝送される。データ伝送受信後、受信装置は、時間情報を含むＭＡＣ制御素子から、時間情報を得る。一例において、時間情報を含む制御素子と応用されるデータ間のマッピングが予め定義され、たとえば、同じ順序で順序付けられる。別の例において、時間情報とデータを含む制御素子間のマッピングは予め定義されない。定義されない時、時間情報が適用する時間情報とデータ間のマッピングのために、トランスミッタにより明示的情報が提供される。
【００４３】
図９は、複数の時間基準を含む時間情報を示す説明図である。トランスミッタにより通信する時間情報は、複数の時間基準を含む。よい無線状態で、データの大きいブロックが伝送されるが、初期レイテンシーは、とにかくかなり長く、伝送されるデータの一片またはプロトコルＳＤＵがバッファされる時、さらに多くのデータ片が、伝送とバッファに利用できる。このような各データ片は、異なる時間がバッファされる。異なる可用なまたは異なる到達時間を有するデータは、同じ時間で伝送され、これにより、正確なレイテンシーまたは時間決定の異なる時間情報を必要とする。時間基準は、無線インターフェース接続のタイミング（たとえば、システムフレーム番号（ＳＦＮ）、接続フレーム番号（ＣＦＮ）、フレーム数の相対計数、サブフレームの計数、または、時間伝送間隔（ＴＴＩ）の計数）に関する時間基準を示す。
【００４４】
図１０は、トランスミッタ支援測定のフローチャートである。ステップ５０１において、伝送データは、アプリケーション層から利用できるようになり、ＵＥは伝送に関する時間情報（たとえば、ＳＦＮ、ＣＦＮ、ＴＴＩ等）を決定する。その後、ＵＥはシグナリング工程を実行して、データ伝送のアップリンクグラントを得る（ステップ５０２）。ステップ５０３において、ＵＥは、あるサイズのひとつ以上のトランスポートブロックにデータ伝送マッピングするアップリンクグラントを得る。その後、ＵＥは、データ伝送により、時間情報を含む（ステップ５０４）。ステップ５０５において、データ伝送がレシーバにより受信される。データ伝送は、ひとつ以上のデータトランスポートブロックを有している。上述のように、レシーバは、基地局か無線ネットワークコントローラー（ＲＮＣ）である。受信されたデータは、レシーバにより再構築される（ステップ５０６）。ステップ５０７において、サービス測定の品質はレシーバにより計算される。上述のように、サービス測定の品質は、パフォーマンス測定、たとえば、レイテンシー測定やスループット測定を含む。
【００４５】
図１１は、測定アグリゲーションによるトランスミッタ支援測定のフローチャートである。ステップ６０１において、伝送データは、アプリケーション層から利用できるようになり、ＵＥは伝送に関連する時間情報（たとえば、ＳＦＮ、ＣＦＮ、ＴＴＩ等）を決定する。その後、ＵＥは、シグナリング工程を実行して、データ伝送のアップリンクグラントを得る（ステップ６０２）。ステップ６０３において、ＵＥは、あるサイズのひとつ以上のトランスポートブロックにデータ伝送マッピングするアップリンクグラントを得る。その後、ＵＥは、データ伝送により時間情報を含む（ステップ６０４）。ステップ６０５において、データ伝送はレシーバにより伝送される。データ伝送は、ひとつ以上のデータトランスポートブロックを含む。上述のように、レシーバは、基地局か無線ネットワークコントローラー（ＲＮＣ）である。受信されたデータは、レシーバにより再構築されている（ステップ６０６）。ステップ６０７において、サービス測定の品質はレシーバにより計算される。上述のように、サービス測定の品質は、パフォーマンス測定、たとえば、レイテンシー測定やスループット測定を含む。その後、サービス測定の品質は、ある期間で集約され、その期間に関連する位置測定と関連付けられる（ステップ６０８）。集約されたサービス測定の品質は、サービス測定の品質、サービス測定の品質のヒストグラム、または、サービス測定の品質の最悪状況選択の平均になる。
【００４６】
図１２は、接続中断のイベントにおけるトランスミッタ支援測定のフローチャートである。ステップ７０１において、伝送データは、アプリケーション層から利用できるようになり、ＵＥは伝送に関する時間情報（たとえば、ＳＦＮ、ＣＦＮ、ＴＴＩ等）を決定する。接続の中断が発生する（ステップ７０２）。接続の中断は、様々なイベント、たとえば、ハンドオーバイベントまたは無線リンク障害により発生する。ステップ７０３において、接続の中断後、ＵＥはネットワークに接続される。ＵＥは、元のネットワークまたは新しいネットワーク（同じセルまたは別のセル）に接続することができる。その後、ＵＥはシグナリング工程を実行して、データ伝送のアップリンクグラントを得る。ユーザープレーンプロトコルの観点から、伝送中断は、トリガーと状況にかかわらず、同様の動作を生じる。伝送中断は、一部または全ユーザープレーンプロトコルのリセットまたは再構築を含む。ＭＡＣとＲＬＣがリセット／再構築される場合、ＰＤＣＰ層が伝送リカバリーをトリガーする、または、全層２プロトコルがリセット／再構築される場合、リカバリーは、制御プレーン、無線リソース制御（ＲＲＣ）層によりトリガーされる必要がある。ステップ７０５において、ＵＥは、アップリンクグラントを得て、あるサイズのひとつ以上のトランスポートブロックにデータ遷移マッピングする。その後、ＵＥは、伝送データと共に、時間情報を伝送する（ステップ７０６）。ステップ７０７において、データ伝送と時間情報がレシーバにより受信される。上述のように、レシーバは、基地局または無線アクセスネットワークコントローラー（ＲＮＣ）である。データは、レシーバにより再構築されている（ステップ７０８）。ステップ７０９において、サービス測定の品質は、レシーバにより計算される。上述のように、サービス測定の品質は、パフォーマンス測定、たとえば、レイテンシー測定やスループット測定を含む。
【００４７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４８】
１００  ３ＧＰＰシステム
１０１  ＵＴＲＡＮ無線アクセスネットワーク
１０２  モバイル電話交換局またはビジタロケーションレジスタ（ＭＳＣ／ＶＬＲ）
１０３  サービングＧＰＲＳサポートノード（ＳＧＳＮ）
１０４，１０５  管理インターフェース
１１０  ユーザー装置ＵＥ
１１１  Ｅ−ＵＴＲＡＮ  無線アクセスネットワーク
１１２  サービングゲートウェイ（Ｓ−ＧＷ）
１１３  パケットデータネットワーク（ＰＤＮ）ゲートウェイ（ＰＤＮ−ＧＷ）
１１４  ポリシー制御とルーティング機能（ＰＣＲＦ）
１１５  ｅＳＭＬＣ
１１６  ＳＬＰ
１１７  オペレータのＩＰサービス（たとえば、インターネット）
１２１  ホーム加入者サーバ（ＨＳＳ）
１３１  カスタマーケアサービス
１３２  運用・管理・保守（ＯＡＭ）システム
２００  モバイルネットワーク
２１０  ＵＥ
２１１  ｅＮｏｄｅＢ（基地局）
２１２  ＥＵＴＲＡＮセル
２１３  ＮｏｄｅＢ
２１５  ＵＴＲＡＮセル
２１６  無線ネットワークコントローラー（ＲＮＣ）ノード
２３９  メモリ
２４０  プロセッサ
２４１  パケットデータ収束プロトコル（ＰＤＣＰ）
２４２  無線リンク制御（ＲＬＣ）
２４３  媒体アクセス制御（ＭＡＣ）
２４４  ユーザープレーン２層
２４５  測定モジュール
２４６  無線周波数（ＲＦ）モジュール
２４７  アンテナ
２５０  測定モジュール
２５１  ユーザープレーン２層
２５２  ＭＡＣ
２５３  ＲＬＣ
２５４  ＰＤＣＰ
２５５  プロセッサ
２５６  メモリ
【図１】
2014534726.tif 000003
【図２】
2014534726.tif 000004
【図３】
2014534726.tif 000005
【図４】
2014534726.tif 000006
【図５】
2014534726.tif 000007
【図６】
2014534726.tif 000008
【図７】
2014534726.tif 000009
【図８】
2014534726.tif 000010
【図９】
2014534726.tif 000011
【図１０】
2014534726.tif 000012
【図１１】
2014534726.tif 000013
【図１２】
2014534726.tif 000014
【国際調査報告】
2014534726.tif 000015
2014534726.tif 000016
2014534726.tif 000017